(57)【特許請求の範囲】
【請求項１】
上下移動するカムドライバーと、該カムドライバーと傾斜するカム面で摺接して加工方向に摺動されるカムスライダーと、該カムスライダーを支持して摺動をガイドするカムベースと、前記カムスライダーが加工方向に摺動された後に該カムスライダーを元の位置に戻す戻しプレート及び該戻しプレートを付勢する弾性部材を有する戻し機構とからなるカム装置において、
前記戻しプレートが、カムスライダーの後壁部と該後壁部に開口させた弾性部材挿脱用の開口部から前記弾性部材が外部へ抜け出さないようにする抜去防止部材とから構成される戻しプレート相当部に対応し、
カムスライダーの側壁における前記後壁部の内側には加工方向に直交する方向に、前記抜去防止部材を遊嵌する為の挿入孔が設けられ、
前記抜去防止部材が前記挿入孔から挿入されるとともに、前記抜去防止部材の一部に前記開口部から弾性部材を収納している収納空間部の内部が見えるようにする目視孔が形成されていること、
を特徴とするカム装置。
【請求項２】
目視孔は、抜去防止部材が２枚の平板で形成され、前記２枚の平板の合わせ目に凹部が形成され、当該凹部が突き合わされて形成されること、
を特徴とする請求項１に記載のカム装置。
【請求項３】
凹部は、開口部の断面形状の一部にほぼ一致する形状の凹部であること、
をとする請求項２記載のカム装置。
【請求項４】
挿入孔は、開口部の中心部に進むに従って当該挿入孔の下面が下り傾斜になっていること、
を特徴とする請求項２または３に記載のカム装置。
【請求項５】
抜去防止部材は、挿入孔に遊嵌された後、固定手段にて当該挿入孔の後壁に引き寄せて固定されること、
を特徴とする請求項１乃至４いずれかに記載のカム装置。
【請求項６】
抜去防止部材の両端面は、開口部から弾性部材を抜去できる状態に横方向に開いた状態で、カム装置の最大横幅の端面位置から外に突出しないように設定されていること、
を特徴とする請求項１乃至５のいずれかに記載のカム装置。
【請求項７】
カム装置に弾性部材が複数個併設される場合には、挿入孔の両端部に位置する端部用抜去防止部材と、この端部抜去防止部材の間に設置される中間部抜去防止部材とが設けられて、複数の開口部を目視孔を除いて閉蓋すること、
を特徴とする請求項１に記載のカム装置。
【請求項８】
挿入孔の形状が丸孔にされ、抜去防止部材が丸棒にされるとともに弾性部材の端面が当たるところは平坦面にされていること、
を特徴とする請求項１乃至７のいずれかに記載のカム装置。
【発明の詳細な説明】
【技術分野】
【０００１】
本発明は、例えば、ワークに孔を開けたり曲げたりする等の金型加工を行うカム装置において、加工用工具を取り付けるカムスライドが加工時に移動した後に、このカムスライドを元の位置に戻す戻し機構に関するものである。
【背景技術】
【０００２】
従来、パネル等の孔開けや曲げ加工に使用されるカム装置には、上下移動するカムドライバーと、該カムドライバーと傾斜するカム面で摺接して加工方向に摺動されるカムスライダーと、該カムスライダーを支持して摺動をガイドするカムベースと、前記カムスライダーに設けられ前記カムベースの一端部を反力にして加工方向に摺動された前記カムスライダーを元の位置に戻す弾性部材を有する戻し機構とからなるものが知られている。
【０００３】
前記カム装置は、図１０に示すように、戻し機構として、弾性体のズレ防止のガイド棒２１が在り、戻し用の弾性体であるコイルスプリング２２と、受けプレート２３、戻しプレート２４ａ、支持プレート２５とがある。
【特許文献１】特開２００４−２３７３２０号公報
【特許文献２】特開平０８−１９８２５号公報
【発明の開示】
【発明が解決しようとする課題】
【０００４】
かかる従来のカム装置における戻し機構を、カムユニットにしてカムスライダーに装備するようにした場合、弾性体２２の交換等のメンテナンスを考慮すると、カムユニットの後方から開口部を設けて、後方に取り出せるようにするのが望ましい。しかしながら、その弾性体取出し用の開口部を、例えば、ネジ締結による芋ネジ等の蓋部材などにより閉蓋するようにした場合に、当該蓋部材が常に弾性体に押されて振動などにより緩みやすくなり、更に、前記蓋部材をメンテナンス等において外した際に、何らかの原因で弾発力が残っている状態の弾性体が不意に外に飛び出して、作業者に怪我を負わせるようなおそれがある、という不都合が生じることがある。本発明に係るカム装置における戻し機構は、このような課題を解決するために提案されたものである。
【課題を解決するための手段】
【０００５】
本発明に係るカム装置における戻し機構の上記課題を解決して目的を達成するための要旨は、上下移動するカムドライバーと、該カムドライバーと傾斜するカム面で摺接して加工方向に摺動されるカムスライダーと、該カムスライダーを支持して摺動をガイドするカムベースと、前記カムスライダーが加工方向に摺動された後に該カムスライダーを元の位置に戻す戻しプレート及び該戻しプレートを付勢する弾性部材を有する戻し機構とからなるカム装置において、前記戻しプレートが、カムスライダーの後壁部と該後壁部に開口させた弾性部材挿脱用の開口部から前記弾性部材が外部へ抜け出さないようにする抜去防止部材とから構成される戻しプレート相当部に対応し、カムスライダーの側壁における前記後壁部の内側には加工方向に直交する方向に、前記抜去防止部材を遊嵌する為の挿入孔が設けられ、前記抜去防止部材が前記挿入孔から挿入されるとともに、前記抜去防止部材の一部に前記開口部から弾性部材を収納している収納空間部の内部が見えるようにする目視孔が形成されていることである。
【０００６】
前記目視孔は、抜去防止部材が２枚の平板で形成され、前記２枚の平板の合わせ目に凹部が形成され、当該凹部が突き合わされて形成されること、；
前記凹部は、開口部の断面形状の一部にほぼ一致する形状の凹部であること、；
前記挿入孔は、開口部の中心部に進むに従って当該挿入孔の下面が下り傾斜になっていること、；
前記抜去防止部材は、挿入孔に遊嵌された後、固定手段にて当該挿入孔の後壁に引き寄せて固定されること、；
前記抜去防止部材の両端面は、開口部から弾性部材を抜去できる状態に横方向に開いた状態で、カム装置の最大横幅の端面位置から外に突出しないように設定されていること、；
前記カム装置に弾性部材が複数個併設される場合には、挿入孔の両端部に位置する端部用抜去防止部材と、この端部抜去防止部材の間に設置される中間部抜去防止部材とが設けられて、複数の開口部を目視孔を除いて閉蓋すること、；
前記挿入孔の形状が丸孔にされ、抜去防止部材が丸棒にされるとともに弾性部材の端面が当たるところは平坦面にされていること、；
を含むものである。
【発明の効果】
【０００７】
本発明のカム装置によれば、カムスライダーを元の位置に戻す弾発力を有する弾性部材が、前記カムスライダーを元の位置に戻した後も、何らかの理由で弾発力を維持していた場合に、抜去防止部材により、外に開口部から抜け出すのが防止される。更に、抜去防止部材を取り出すために固定手段を緩めたり若しくは外したりすると、前記弾性部材が抜去防止部材を後方に押して挿入孔の後壁面に押し付けるので、その摩擦力により当該抜去防止部材を加工方向に直交する方向（横方向）に取り出しにくくなる。よって、作業者が、前記弾性部材が正常な状態でないことが直ちに判り、未然に危険を察知することができる。前記抜去防止部材は、加工方向に直交する方向（横方向）から収納空間部に挿入されるようにして設けられていて、弾性部材の弾発力の方向に直交するので、圧力を受けるのに有利であり、従来例における加工方向に沿って締結する芋ネジ等の締付部材による不都合な構造を避けることができる。
【０００８】
前記抜去防止部材の一部に、開口部から弾性部材を収納している収納空間部の内部が見えるようにする目視孔が形成されているので、メンテナンス時に外部から収納空間部の内部を確認することが容易となる。
また、前記抜去防止部材が２枚の平板で形成され、カムスライダーの側壁には加工方向に直交する方向に、前記抜去防止部材を遊嵌する為の挿入孔が設けられ、前記２枚の平板の合わせ目に凹部が形成され、当該凹部が突き合わされて目視孔が形成されるので、対称形の２枚の板で構成され、コンパクトで、在庫管理が容易である。この抜去防止部材を左右に分けて挿入孔から引き出すことができるので、横方向への引き出し量が少なくなり、隣接するカム装置が邪魔になることが無く、カム装置を近接させて設置することができる。
更に、前記凹部は、開口部の断面形状の一部にほぼ一致する形状の凹部であることで、引き出し量を更に少なくすることができる。
【０００９】
前記挿入孔は、開口部の中心部に進むに従って当該挿入孔の下面が下り傾斜になっているので、挿入孔に抜去防止部材を挿入する際には挿入しやすくなり、弾性部材が正常な状態でなく抜去防止部材が後方に押しつけられた状態では、この抜去防止部材を横方向に一層取り出にくくなり、固定手段を外した状態でも抜去防止部材が自然に横滑りすることもない。
【００１０】
抜去防止部材は、挿入孔に遊嵌された後、固定手段にて当該挿入孔の後壁に引き寄せて固定されるので、カム装置の後方から固定作業を行うことができる。また、収納空間部に収納された弾性部材の後端面との間に、所望の間隙を設けることもできる。
【００１１】
前記抜去防止部材の両端面は、開口部から弾性部材を抜去できる状態に横方向に開いた状態で、カム装置の最大横幅の端面位置から外に突出しないように設定されているので、カム装置を近接させて設置するのに便宜であると共に、カム装置単体の一ユニットとして側面に出っ張りが無く、保管や梱包においてコンパクトになり便宜である。
【００１２】
前記カム装置に弾性部材が複数個併設される場合には、挿入孔の両端部に位置する端部用抜去防止部材と、この端部抜去防止部材の間に設置される中間部抜去防止部材とが設けられて、複数の収納空間部を目視孔を除いて閉蓋するので、複数個の弾性部材が併設される場合でも同様に、抜去防止部材を装備させることができる。
【発明を実施するための最良の形態】
【００１３】
本発明に係るカム装置１（全体図省略）は、図１に示すように、上下移動するカムドライバー２（従来例と同様：図１０参照）と、該カムドライバー２と傾斜するカム面２ａ，３ａで摺接して加工方向に摺動されるカムスライダー３と、該カムスライダー３を支持して摺動をガイドするカムベース４（従来例と同様：図１０参照）と、前記カムスライダー３に設けられた収納空間部５に収納され加工方向ａ（前後方向と同じ）に摺動された前記カムスライダー３を元の位置に戻す戻しプレート相当部２４及びこの戻しプレート相当部２４を付勢する弾性部材６を有する戻し機構とからなる。符号３ｂは、カムスライダー３の工具取付面を示している。
【００１４】
前記弾性部材６は、例えば、コイルスプリング，弾性樹脂体、等であるが、この一実施例では図２に示すように、全体が円形で柱体のガス圧シリンダー６を使用している。符号６ａは、圧力を伝達する延長棒６ａを示している。
【００１５】
前記収納空間部５は、前記カムスライダー３の下部に、例えば、一体に形成され、若しくは別部材で形成されてもよい。更に、この一実施例では、カムスライダー３側に設けたが、場合によっては、カムベース４側に側壁を設けて形成しても良い。この収納空間部５は、断面形状が前記弾性部材６の円形に合わせて形成され、前記ガス圧シリンダー６が図２及び図４（Ａ）に示すように収納される。そして、収納空間部５の前方は、ガス圧シリンダー６の突起部６ｂと延長棒６ａとを貫通孔から突出させて蓋部材７で閉蓋されている。
【００１６】
前記収納空間部５の後方には、従来例で示した戻しプレート２４ａに相当する戻しプレート相当部２４があって、該戻しプレート相当部２４がカムスライダーの後壁部３ｅと該後壁部３ｅに開口させた弾性部材挿脱用の開口部５ａから前記弾性部材６が外部へ抜け出さないようにする抜去防止部材（ロックプレートともいう）８とから構成されている。
【００１７】
前記後壁部３ｅには、外部に貫通して開口させた開口部５ａがある。そして、前記開口部５ａから前記ガス圧シリンダー６が挿脱されるものである。鋼製平板体の抜去防止部材８が、後壁部３ｅの内側に設けられる。この戻しプレート相当部２４は、この第１実施例では、カムスライダー３に一体にして形成される後壁部３ｅと別体の抜去防止部材８としたが、この例に限らず、後壁部３ｅを別体の部材にしてボルトなどでカムスライダー３に固定しても良い。
【００１８】
前記戻しプレート相当部２４が、従来のものと異なるところは、弾性部材６を後方抜きにできるように、カムスライダー３の後壁部３ｅに開口部５ａを設け、かつ、前記加工方向（前後方向）ａに直交する方向（横方向）ｂから収納空間部５に抜去防止部材８が挿入され開口部５ａを閉蓋するようにしたことである。更に、図４（Ｂ），（Ｃ）に示すように、抜去防止部材８の一部に、開口部５ａから収納空間部５の内部が見えるようにする目視孔９が形成されているのである。
【００１９】
前記抜去防止部材８が、２枚の所望厚さの平板であるロックプレート８ａ，８ｂで形成され、カムスライダー３の側壁３ｃ，３ｄには加工方向ａに直交する方向ｂに、弾性部材６収納用の収納空間部５に貫通させて前記抜去防止部材８を遊嵌する為の挿入孔１０が、それぞれ設けられている。
【００２０】
前記２枚のロックプレート８ａ，８ｂの合わせ目に凹部８ｃ，８ｄが形成され、当該凹部８ｃ，８ｄが突き合わされて、前記目視孔９が形成されるのである。この凹部８ｃ，８ｄは、開口部５ａの断面形状の一部にほぼ一致する形状の凹部である。この実施例では、前記弾性部材であるガス圧シリンダー６が円柱状なので、その一部の弓形の曲面形状にした凹部となっている。
【００２１】
よって、図４（Ｂ），（Ｃ）に示すように、前記目視孔９は、凸レンズのような形状になっていて、前記ロックプレート８ａ，８ｂが、横方向ｂにそれぞれ移動されると、収納空間部５及び弾性部材６の円形状の一部と、その形状がほぼ一致するものである。これによって、収納空間部５から弾性部材６を外部に取り出すことができるのである。
【００２２】
また、前記抜去防止部材８であるロックプレート８ａ，８ｂにおけるネジ孔８ｅは、前記挿入孔１０に遊嵌させた後に、ボルト１１で固定するためのものである。図４（Ａ）に示すように、前記ボルト１１で締結することで、当該抜去防止部材８は、挿入孔１０に遊嵌された後、固定手段であるボルト１１にて当該挿入孔１０の後壁１０ａに引き寄せて固定される。これにより、通常は、収納空間部５に収納された弾性部材６の後方端面と、抜去防止部材８の前端面との間には、例えば、０．５ｍｍ程度の間隙が維持されているものである。
【００２３】
このほか、図１乃至図２に示すように、開口部５ａの外側の約半分は、平板状の２次安全蓋１３がボルト１３ａで後壁面３ｆに固定されて、閉蓋されている。前記弾性部材６が不意に外へ飛び出さないように、安全性を更に高めたものである。この２次安全蓋１３の横方向の中央部にも、内部が見やすいように、凹部１３ｂが設けられている。また、カムスライダー３の下部には、カムベース４の山型ガイド部に載置して、かつ、安定して摺動させる為のＶ溝が設けられたガイド部材１２がボルト１２ａで固定されている。
【００２４】
以上のようにして本発明に係る第１実施例のカム装置１が構成される。前記戻しプレート相当部２４の作用を説明すると、図１乃至図２に示すように、例えば、メンテナンス時に、作業のし易いカム装置１の後方から、ボルト１１を緩めて取り外す。弾性部材６が正常な状態であれば、ロックプレート８ａ，８ｂとの間に隙間があるので、開口部５ａから棒等を差し込んでその棒先でこのロックプレート８ａ，８ｂを横方向に少ない抵抗で移動させることができる。すると、図４（Ａ），（Ｂ）に示すように、目視孔９が開口部５ａの外径とほぼ一致する。その後、ボルト１３ａを外して２次安全蓋１３を外して、開口部５ａから弾性体６を収納空間部５から抜き出す。これが通常の作業である。
【００２５】
しかし、前記弾性部材６が正常な状態でない場合には、前記ボルト１１を外して、ロックプレート８ａ，８ｂを横方向に取り出そうとすると、当該ロックプレート８ａ，８ｂが挿入孔１０の後壁面に押しつけられていて、横方向の抵抗力が大きく、棒等の先端部でこじっても容易に取り出すことができない。これより、作業者は、弾性部材６が異常な状態であることが判る。こうして、未然に、危険な作業から解放されるのである。この場合には、特殊工具などを用いて前記弾性部材６を飛び出さないように保持して、前記ロックプレート８ａ，８ａを横方向に移動させて、安全にしてから、弾性部材６を取り出すようにする。このように、弾性部材６の後方抜きが可能となって作業性が向上し、且つ、安全性も確保されるものである。
【００２６】
本発明のカム装置の他の実施例として、例えば、図５に示すように、前記抜去防止部材８の両端面を、開口部５ａから弾性部材６を抜去できる状態に横方向に開いた状態で、カム装置の最大横幅の端面位置から外に突出しないように設定されているものである。これにより、弾性部材６の挿抜作業において、カム装置の側面からロックプレート８ａ，８ｂの片側端面が突出することがないので、カム装置１，１…を近接させて横に並べて設置することができる。カム装置の高密度配置に都合が良くなるものである。
【００２７】
また、他の実施例として、カムスライダー３における挿入孔１０は、図６に示すように、開口部５ａの中心部に進むに従って当該挿入孔１０の下面１０ｂが下り傾斜（角度θ）になっているものである。これにより、自然に２枚のロックプレート８ａ，８ｂが中央部に寄せられるようになり、挿入しやすく、不用意に横方向に移動して、弾性部材６が外に抜け出すこともない。
【００２８】
更に、図７に示すように、カム装置に弾性部材６と開口部５ａとが複数個併設される場合には、挿入孔１０の両端部に位置する端部側の抜去防止部材８ａ，８ｂと、この端部側の抜去防止部材８ａ，８ｂ間に挟まれる中間部抜去防止部材８ｆとが設けられて、複数の開口部５ａを目視孔９を除いて閉蓋するようにしたものである。前記中間部抜去防止部材８ｆを、図７（Ｃ）、若しくは、図７（Ｄ）に示すように、右に寄せたり、左に寄せたりして開口部５ａから弾性部材６が挿抜できるようにするものである。横方向に長くしたカム装置１に複数の弾性部材６を設けて、安全に取り外しできるようにしたものである。
【００２９】
このほか、図８に示すように、抜去防止部材（ロックプレート）８の実施例として、図８（Ａ）に示すように、丸棒のものにし、弾性部材６の端面が当たるところは平坦面にした抜去防止部材８ｇとし、挿入孔１０ｃを丸孔にしたり、図８（Ｃ）に示すように、Ｔ型スロットの抜去防止部材８ｈにして、挿入孔１０ｄもＴ型形状にしたものにすることができる。なお、上記各実施例では、抜去防止部材８を、２枚にして説明したが、これに限らず、１枚でも良いのはもちろんである。
【００３０】
更に、図９に示すように、抜去防止部材（ロックプレート）８の固定方法において、ボルト１１で締結する（同図（Ａ））ばかりでなく、同図（Ｂ）に示すように、固定用孔１４にボールプランジャー１５で後方に押して固定する方法を採用することもできる。こうすれば、ネジ締めすることなく、抜去防止部材８を横方向に押しつけるだけで、前記ボールプランジャー１５の先端部が付勢力に抗して前方向に押し込まれて、その反発力で抜去防止部材８が後方の後壁面１０ａに押圧され、固定されるものである。
【図面の簡単な説明】
【００３１】
【図１】本発明に係るカム装置におけるカムスライダー３の斜視図である。
【図２】同本発明のカム装置におけるカムスライダー３の分解斜視図である。
【図３】同カムスライダー３の側面図である。
【図４】図３におけるＡ−Ａ線に沿った断面図（Ａ）、同じくＢ−Ｂ線に沿った抜去防止部材８が閉じた状態の断面図（Ｂ）、同抜去防止部材８が開いた状態の断面図（Ｃ）である。
【図５】カム装置におけるカムスライダー３の他の実施例に係るもので、カム装置の側面から抜去防止装置８の端面が突出しないようにしたものの説明図である。
【図６】同他の実施例に係るカムスライダーであり、挿入孔１０の下面１０ｂを下がり傾斜させた場合の説明用概略断面図である。
【図７】同カムスライダーに複数の弾性部材６を有する場合の、抜去防止部材８の鋼製例と、その使用を説明する概略説明図（Ａ）〜（Ｄ）である。
【図８】同抜去防止部部材８の形状に関して各種実施例を示す説明図（Ａ）〜（Ｃ）である。
【図９】同抜去防止部材８の固定方法の各種例を示す概略説明図（Ａ），（Ｂ）である。
【図１０】従来例に係るカム装置の戻し機構を示す説明用の断面図である。
【符号の説明】
【００３２】
１            カム装置、
２            カムドライバー、
３            カムスライダー、          ３ａ              カム傾斜面、
３ｂ          工具取付面、              ３ｃ，３ｄ        側壁、      
３ｅ          後壁部、                  ３ｆ              後壁面、
４            カムベース、
５            収納空間部、              ５ａ              開口部、
６            弾性部材、                ６ａ              延長棒、        
７            蓋部材、
８            抜去防止部材（ロックプレート）、
８ａ，８ｂ    ロックプレート、          ８ｃ，８ｄ        凹部、
８ｅ          ねじ孔、                  ８ｆ              中間抜去防止部材、
８ｇ          丸棒の抜去防止部材、      
８ｈ          Ｔ型スロットの抜去防止部材、
９            目視孔、
１０          挿入孔、                  １０ａ            後壁面、
１０ｂ        下面、                    １０ｃ，１０ｄ    挿入孔、        
１１          ボルト、
１２          ガイド部材、
１３          ２次安全蓋、              １３ａ            ボルト、
１４          固定用孔、
１５          ボールプランジャー、
２１          ガイド棒、
２２          コイルスプリング、
２３          受けプレート、
２４          戻しプレート相当部、      ２４ａ            戻しプレート、
２５          支持プレート。
【図１】
0004922888.tif 000002
【図２】
0004922888.tif 000003
【図３】
0004922888.tif 000004
【図４】
0004922888.tif 000005
【図５】
0004922888.tif 000006
【図６】
0004922888.tif 000007
【図７】
0004922888.tif 000008
【図８】
0004922888.tif 000009
【図９】
0004922888.tif 000010
【図１０】
0004922888.tif 000011